(57)【要約】【課題】電気工事の工数の削減が図れ、コストアップを抑えた壁パネルを提供する。【解決手段】左右に間隔を隔てて縦枠材１ａが配置され、その縦枠材１ａの下端部に横枠材１ｂが架設されてパネル枠体１が形成されており、パネル枠体１の少なくとも一方の面に面材２が配設され、その面材２上端部に縦枠材１ａ間を架設する帯板３が配設されていることとする。【選択図】図１
2008050929.tif 000002
【特許請求の範囲】
【請求項１】
左右に間隔を隔てて縦枠材が配置され、その縦枠材の下端部に横枠材が架設されてパネル枠体が形成されており、パネル枠体の少なくとも一方の面に面材が配設され、その面材上端部に縦枠材間を架設する帯板が配設されていることを特徴とする壁パネル。
【請求項２】
帯板の上方に突出され、天井スラブに取付け固定される天井スラブ取付け固定部が設けられていることを特徴とする請求項１に記載の壁パネル。
【請求項３】
天井スラブ取付け固定部は、パネル枠体を構成する縦枠材が帯板の上方に突出されて形成されたものであることを特徴とする請求項２に記載の壁パネル。
【請求項４】
天井スラブ取付け固定部は、角材の一端がパネル枠体の両面に配設された帯板間に挿入されて固定されるとともに、他端が帯板の上方に突出されて形成されていることを特徴とする請求項２に記載の壁パネル。
【請求項５】
請求項２から４のいずれかの壁パネルの天井スラブ取付け固定部に、遮音壁が配設されていることを特徴とする壁パネル。
【発明の詳細な説明】
【技術分野】
【０００１】
本発明は、壁パネルに関する。
【背景技術】
【０００２】
戸建て住宅や集合住宅では、間仕切壁として、図７に示すような縦枠材１ａと横枠材１ｂとからなるパネル枠体１の表裏面に石膏ボードや化粧合板等の面材２が配設された壁パネルが用いられている。左右の縦枠材１ａの間には上下の横枠材１ｂ間を結ぶ中桟１ｅが設けられており、上方の横枠材１ｂには配線ケーブル挿通穴１ｄが設けられている。この壁パネルを壁先行で二重床等の床に設置する場合、たとえば、以下の手順で施工される。まず、図８に示すように、パネル枠体１の上方の横枠材１ｂに角材１３をビス等の止具１１で取付け固定し、その角材１３に束材１２下端部を止具１１で固定する。次いで、天井スラブ５に下面開口の角溝状に取付けられた木桟１４に前記束材１２上端部を嵌め込み、床を構成する床下地材９に敷設された断面Ｌ字型等の床ランナー９１で壁パネル下端部を受けて固定し立設する。
【０００３】
このようにして床に立設された壁パネルには、コンセント、スイッチ等の配線器具が配設されるが、これら配線器具は一般に現場において後付けされる（たとえば、特許文献１参照）。現場では、作業性を向上して電気工事の工数をできるだけ削減することが求められており、このためには配線器具を現場で容易に取付けることができる壁パネルが望まれていた。このような壁パネルとして、これまで、たとえば、石膏ボードの裏面に補強板を配設した内壁パネル（たとえば、特許文献２参照）や、横枠材に左右に摺動可能にした摺動桟を形成した壁パネル（たとえば、特許文献３参照）が提案されている。
【特許文献１】特開平１０−７７７０９号公報
【特許文献２】特開２００６−２４６６号公報
【特許文献２】特開２００５−３０７６５５号公報
【発明の開示】
【発明が解決しようとする課題】
【０００４】
上記特許文献２の壁パネルにおいて、配線器具の取り付け工事をおこなうには、図７に示すような壁パネルを形成する横枠材１ｂの所定の箇所に配線器具の配線ケーブル挿通穴１ｄをあらかじめ形成しておく必要があった。また、現場では、配線器具が取り付けられる壁パネルの片側の石膏ボードを外しておき、配線ケーブル挿通穴１ｄに配線ケーブルを通して配線器具を壁パネルの内部に取り付けた後、石膏ボードを配設するという施工方法が採用されているが、現場では十分な作業スペースが確保されているとはいえず、配線ケーブルの配線ケーブル挿通穴１ｄへの落とし込みに手間がかかってしまうことがあった。
【０００５】
上記特許文献３の壁パネルは、摺動桟が左右に摺動することから現場での配線器具の取付け作業を容易にすることができるものであった。しかしながら、依然として横枠材の所定の箇所に配線器具の配線ケーブル挿通穴をあらかじめ形成しておく必要があるため、配線ケーブルの配線ケーブル挿通穴への落とし込みに手間がかかってしまうこと、摺動桟を設けたためにパネル枠体が複雑な構造となりコストアップになってしまうこと等の問題があった。
【０００６】
本発明は、以上の通りの事情に鑑みてなされたものであり、電気工事の工数の削減が図れ、コストアップを抑えた壁パネルを提供することを課題とする。
【課題を解決するための手段】
【０００７】
本発明の壁パネルは、上記の課題を解決するために、以下のことを特徴としている。
【０００８】
第１に、左右に間隔を隔てて縦枠材が配置され、その縦枠材の下端部に横枠材が架設されてパネル枠体が形成されており、パネル枠体の少なくとも一方の面に面材が配設され、その面材上端部に縦枠材間を架設する帯板が配設されている。
【０００９】
第２に、上記壁パネルにおいて、帯板の上方に突出され、天井スラブに取付け固定される天井スラブ取付け固定部が設けられている。
【００１０】
第３に、上記第２の発明の壁パネルにおいて、天井スラブ取付け固定部は、パネル枠体を構成する縦枠材が帯板の上方に突出されて形成されたものである。
【００１１】
第４に、上記第２の発明の壁パネルにおいて、天井スラブ取付け固定部は、角材の一端がパネル枠体の両面に配設された帯板間に挿入されて固定されるとともに、他端が帯板の上方に突出されて形成されている。
【００１２】
第５に、上記第２から第４のいずれかの発明の壁パネルの天井スラブ取付け固定部に、遮音壁が配設されている。
【発明の効果】
【００１３】
上記第１の発明によれば、配線ケーブル挿通穴の穴加工が不要となるため、製造コストを低減することができる。また、配線ケーブル挿通穴の位置に左右されずに自由な位置から配線ケーブルを落とし込むことができるため、電気工事の工数を削減することができる。
【００１４】
上記第２の発明によれば、天井スラブ取付け固定部が設けられていることによって、壁パネルの設置が容易となる。すなわち、このような天井スラブ取付け固定部を天井スラブに直接に取付け固定したり、あるいは、この天井スラブ取付け固定部に束材を取付け固定し、これを天井スラブに取付け固定することで、壁パネルを設置することができる。
【００１５】
上記第３の発明によれば、パネル枠体を構成する縦枠材が帯板の上方に突出されて形成されたものであることにより、壁パネルの立設作業をより簡略化することができる。さらに、縦枠材を天井スラブまで延設させた場合には、束材を用いる必要がなくなるため、壁パネルの立設作業をより一層簡略化することができる。
【００１６】
上記第４の発明によれば、ダクト等の配管と干渉しないように、天井スラブ取付け固定部を任意の位置に容易に固定することができる。このため、壁パネルの設置作業に手間取ることなく、作業の効率化が図れる。
【００１７】
上記第５の発明によれば、遮音壁を配設するための下地を新たに設ける必要がないため、より低コストで遮音構造を備えた壁パネルを実現することができる。
【発明を実施するための最良の形態】
【００１８】
図１（ａ）は本発明の壁パネルの一実施形態を示した端面図であり、（ｂ）は正面図である。
【００１９】
本発明の壁パネルは、図１（ａ）（ｂ）に示すように、左右に間隔を隔てて木製の角材よりなる縦枠材１ａが配置され、その縦枠材１ａの下端部に木製の角材よりなる横枠材１ｂが架設されてパネル枠体１が形成されている。なお、ここでは、図７に示したような壁パネルにおける中桟についても縦枠材１ａとして説明している。パネル枠体１の両面には石膏ボードや化粧合板等の面材２が配設されており、面材２の左右の両端部がパネル枠体１からはみ出さないようにそれぞれ縦枠材１ａと略面一になっている。この面材２の上端部には縦枠材１ａ間を架設するようにして木製の板材よりなる帯板３が配設されてパネル枠体１を効果的に補強しており、パネル枠体１の変形を防ぐ役割をも有している。この帯板３は、その厚みが面材２と同程度となるようにし、厚み方向で帯板３と面材２とが面一になるようしている。また、帯板３の左右の両端部は、面材２と略面一になるようにし、パネル枠体１からはみ出さないようにしている。帯板３の幅、すなわち高さ方向の長さについては、パネル枠体１の補強に影響がないような幅であればよく、特に制限されるものではない。
【００２０】
本発明の壁パネルは、図１のようにパネル枠体１の両面に面材２が配設されているが、現場でのキャビネットやキッチンユニット等の据付工事や壁パネルの配線器具取付け工事等の施工状態によっては、一方の面材２をはがしたり、面材２の一部を切り欠いたりしてもよい。
【００２１】
本発明における縦枠材１ａは、その上端部が帯板３の上端部と面一になるように形成されていてもよいが、図１に示すようにパネル枠体１の左右の縦枠材１ａおよび中央の縦枠材１ａがそれぞれ上方向に延設されて縦枠材１ａの上端が帯板３の上方に突出されるように形成されていてもよいし、あるいは、パネル枠体１の左右の縦枠材１ａのみが上方向に延設されて縦枠材１ａの上端が帯板３の上方に突出されるように形成されていてもよい。
【００２２】
本発明の壁パネルは、天井スラブ取付け固定部１ｃが設けられていてもよい。この天井スラブ取付け固定部１ｃは、壁パネルを天井スラブ５に取付け固定するためのものであり、帯板３の上方に突出されて形成される。図１に示すように縦枠材１ａの帯板３の上方に突出された部分を天井スラブ取付け固定部１ｃとすることで、この壁パネルを天井スラブ５に容易に取付け固定させることができる。もちろん、天井スラブ取付け固定部１ｃは縦枠材１ａと別体とされていてもよい。たとえば、パネル枠体１における縦枠材１ａの上端部が帯板３の上端部と面一になるように形成されている場合、角材よりなる天井スラブ取付け固定部１ｃを縦枠材１ａの上端面に設けることができる。このとき、天井スラブ取付け固定部１ｃはパネル枠体１における全ての縦枠材１ａの上端面に設けてもよいが、一部の縦枠材１ａのみ、たとえばパネル枠体１の左右の縦枠材１ａのみに設けるようにしてもよい。
【００２３】
本発明における天井スラブ取付け固定部の別の実施形態を図２に示す。図２は、パネル枠体の両面に配設された帯板間に角材からなる天井スラブ取付け固定部が固定されている様子を模式的に示した断面図である。なお、図１に示した部分と同一の部分については同じ符号を付し、説明を省略する。
【００２４】
この実施形態では、天井スラブ取付け固定部１ｃとしてパネル枠体を構成する縦枠材と同断面形状の角材１ｄを用いている。図２に示すように角材１ｄの一端が帯板３間に挿入され、ネジやビス等の止具１１を外側からそれぞれの帯板３に向けて打設することで固定される。角材１ｄの他端は帯板３の上方に突出され、天井スラブに直接に取付け固定されるか、あるいは後述する束材を介して取付け固定される。角材１ｄの一端が帯板３間に挿入され固定される箇所としては、パネル枠体の両面に帯板３が形成されている場所であればよく、壁パネルを構成する縦枠材と縦枠材との間の任意の位置に固定することができる。したがって、ダクト等の配管と干渉しないような位置にあらかじめ前記角材１ｄを固定して天井スラブ取付け固定部１ｃとすることで、手間取ることなく容易に壁パネルを設置できる。また、たとえば、天井スラブ下にダクト等の配管が敷設された室内を図１に示すような壁パネルで仕切る際に、壁パネルを構成する縦枠材の帯板より上方に突出された部分が配管と干渉する場合であっても有効である。このような場合、後述するが、当該干渉部分を施工現場でカットし、配管と干渉しないように任意の位置に角材１ｄを帯板３間に挿入して天井スラブ取付け固定部１ｃとして固定することで、壁パネルの設置作業に手間取ることはなく、容易に設置できる。
【００２５】
以上のように、この実施形態はパネル枠体の両面に配設された帯板３間に角材１ｄの一端が挿入され、固定されている。パネル枠体の片面のみに帯板３が配設されている場合にも、止具１１で角材１ｄを固定することが可能であるが、壁パネルの設置強度の観点からパネル枠体の両面に配設された帯板３間に角材１ｄを固定することが好ましい。
【００２６】
次に本発明の壁パネルを壁先行で二重床に設置する場合について以下に説明する。
【００２７】
図３は、本発明の壁パネルを壁パネル先行で二重床に立設した施工例であり、（ａ）は正面図であり、（ｂ）は（ａ）のＡ−Ａ断面図である。なお、図１〜図２に示した部分と同一の部分については同じ符号を付し、説明を省略する。
【００２８】
二重床は、コンクリート下地等よりなる床スラブ８上に、防振材付きの木製脚体、金属製脚体等よりなる支持脚８１を介して、合板等よりなる床下地材９を支持して形成されている。床下地材９の上には、本発明の壁パネルを立設するための断面Ｌ字型の木材、金属等よりなる床ランナー９１が敷設されている。また、この床ランナー９１に対応する天井ランナー５１が、床ランナー９１の直上の位置のコンクリート下地等よりなる天井スラブ５下に敷設されている。この天井ランナー５１は、木材、金属等により断面Ｌ字型に形成されている。
【００２９】
図３の施工例では、壁パネルにおける縦枠材１ａの天井スラブ取付け固定部１ｃにビス等の止具１１で束材１２を取付け固定している。この壁パネルを二重床に立設する際には、まず、壁パネルにおける束材１２を天井ランナー５１で受けた後、壁パネルの下端部を床ランナー９１で受けて保持する。次いで、止具１１を天井ランナー５１に向けて束材１２に打設して固定し、壁パネルを二重床に固定する。壁パネルを立設した後は、壁パネルの下端部に常法に従って幅木を設け、木質単板等の床仕上材１０を床下地材９に配設する。この施工例では、束材１２と壁パネルを取付け固定するために従来の壁パネルの横枠材１ｂに取付け固定されていた角材１３を用いることなく縦枠材１ａに形成された天井スラブ取付け固定部１ｃと束材１２とを固定させるため、壁パネルの立設作業を簡略化することができる。なお、この施工例は、天井スラブ取付け固定部１ｃに束材１２を取付け固定し、この束材１２を天井スラブ５に固定して壁パネルを固定するものであり、天井スラブ取付け固定部１ｃと束材１２とをそれぞれ区別して称しているが、この施工例における天井スラブ取付け固定部１ｃに束材１２を取付け固定したものを、本発明における天井スラブ取付け固定部として称することもできる。
【００３０】
以上のようにして立設された壁パネルには、現場において配線器具が取り付けられるが、そのための配線ケーブルを壁パネルの内部に落とし込む必要がある。本発明の壁パネルは、図１に示すように壁パネルのパネル枠体１が上方に開口した空所を形成しているため、この空所を介して配線ケーブルを自由な位置から壁パネルの内部に落としこむができる。したがって、配線ケーブル挿通穴を横枠材に設けていた従来の壁パネルに比べて、穴加工の手間を省くことができるとともに、配線ケーブル挿通穴の位置に左右されずに自由な位置から配線ケーブルを落とし込むことができる。よって、製造コストや電気工事の工数を削減することができるのである。
【００３１】
また、この施工例では、壁パネルを二重床に立設した後に二重天井方式の天井面７が形成される。たとえば、天井スラブ５下に吊設された吊材５２を介して、天井パネル６を吊り下げ支持することで実現される。この吊材５２は壁パネルを挟持するように配設されており、吊材５２に止具を帯板３に向けて打設して吊材５２と壁パネルとを固定している。天井パネル６と壁パネルとの取り合い部分には、常法に従って天井廻り縁が設けられていてもよく、この場合にはその取付けのために帯板３の下端部が天井パネル６よりも下方の位置になるようにすることが考慮される。
【００３２】
図４は、別の施工例である（（ａ）は正面図であり、（ｂ）は（ａ）のＡ−Ａ断面図である）。なお、図１〜図３に示した部分と同一の部分については同じ符号を付し、説明を省略する。
【００３３】
この施工例では、パネル枠体１における左右の縦枠材１ａが上方向に天井スラブ５まで延設され、縦枠材１ａと天井スラブ取付け固定部１ｃとが一体化されて形成されており、パネル枠体１における中央の縦枠材１ａは、その上端部が帯板３の上端部と面一になるように形成されている。天井スラブ５下には下面開口の角溝状の天井ランナー５１が敷設されており、この天井ランナー５１に天井スラブ取付け固定部１ｃを嵌め込んだ後、壁パネルの下端部を床ランナー９１で受けて二重床上に壁パネルを固定する。この例では、束材１２の天井スラブ取付け固定部１ｃへの取付け作業を省くことができ、また、壁パネルの天井スラブ５への取付け作業も角溝状の天井ランナー５１に嵌め込むのみであるため、より簡便に壁パネルを二重床に立設することができる。
【００３４】
図５はさらに別の施工例の正面図である。なお、図１〜図４に示した部分と同一の部分については同じ符号を付し、説明を省略する。
【００３５】
この施工例は、図４に示したようなパネル枠体１における左右の縦枠材１ａが上方向に天井スラブ５まで延設されている壁パネルを用いた際に、縦枠材１ａの帯板３より上方に突出された部分がダクト等の配管Ｄと干渉した場合の施工例を示している。配管Ｄと干渉する縦枠材１ａの突出部分（天井スラブ取付け固定部１ｃ）を施工現場でカットするとともに、配管Ｄと干渉しないような任意の位置に角材１ｄを帯板３間に挿入して固定し、これを天井スラブ取付け固定部１ｃとしている。これにより、壁パネルの設置作業に手間取ることなく容易に設置でき、また縦枠材１ａの突出部分（天井スラブ取付け固定部１ｃ）をカットしても壁パネルの設置強度を低下させることもない。
【００３６】
さらに、以上のように壁パネルに天井スラブ取付け固定部１ｃを設けた場合においては、図６（（ａ）は正面図であり、（ｂ）は（ａ）のＡ−Ａ断面図である）に示すように、遮音壁４を天井スラブ取付け固定部１ｃに容易に配設することができる。なお、図１〜図５に示した部分と同一の部分については同じ符号を付し、説明を省略する。
【００３７】
従来の壁パネルを用いて天井パネル６の上方の天井裏を遮音する場合には、遮音壁４を取付け固定するための下地を現場で新たに組む必要があり手間がかかっていたが、天井スラブ取付け固定部１ｃを遮音壁４の取付けのための下地とすることで、新たに下地を組む必要はなく、遮音壁４を容易に配設することができるのである。これによって、簡便に二重床に立設させることができ遮音構造を備えた壁パネルを実現できる。図６の例は、パネル枠体１における左右の縦枠材１ａが天井スラブ５まで延設され、帯板３の上方に突出された部分を天井スラブ取付け固定部１ｃとした壁パネルの例であるが、これに限定されることなく、たとえば、図２，３や図５に示した壁パネルでも同様に天井スラブ取付け固定部１ｃを遮音壁４を取付け固定するための下地として、遮音壁４を配設することができる。
【００３８】
以上の施工例はいずれもパネル枠体１における左右の縦枠材の一端が帯板の上方に突出された壁パネルを用いているが、上述したように、縦枠材の上端部が帯板の上端部と面一になるように形成された壁パネルであってもよい。このような壁パネルを二重床に立設する場合には、図２に示した実施形態のように、角材の一端をパネル枠体の両面に配設された帯板間に挿入して固定しこれを天井スラブ取付け固定部としてもよいし、その他、たとえば、縦枠材の上端部に角材を取付けてこの角材に束材を固定し、これを天井スラブ取付け固定部としてもよい。次いで、天井スラブ取付け固定部を天井スラブ下に敷設された天井ランナーで受け、壁パネルの下端部を床下地材の上に敷設された床ランナーで受けることによって壁パネルを二重床に立設することができる。
【００３９】
本発明の壁パネルは、以上の施工例のようにパネル枠体の両面に面材と帯板が配設されているが、片面のみに配設されていてもよい。さらに、本発明の壁パネルは、たとえば、壁パネルの左端（あるいは右端）の縦枠材と別の壁パネルの右端（あるいは左端）の縦枠材とが接するように二重床上に併設させることで間仕切壁を形成することができる。
【００４０】
また、上述の実施形態においては、二重床、二重天井に壁パネルを施工する実施形態を例示したが、汎用されている通常の床、天井においても同様に実施できることはもちろんである。
【図面の簡単な説明】
【００４１】
【図１】（ａ）は本発明の壁パネルの一実施形態を示した端面図であり、（ｂ）は正面図である。
【図２】本発明における天井スラブ取付け固定部の別の実施形態であり、帯板間に角材からなる天井スラブ取付け固定部が固定されている様子を模式的に示す断面図である。
【図３】本発明の壁パネルを壁パネル先行で二重床に立設した施工例である（（ａ）は正面図であり、（ｂ）は（ａ）のＡ−Ａ断面図である）。
【図４】本発明の壁パネルを壁パネル先行で二重床に立設した別の施工例である（（ａ）は正面図であり、（ｂ）は（ａ）のＡ−Ａ断面図である）。
【図５】本発明の壁パネルを壁パネル先行で二重床に立設したさらに別の施工例の正面図である。
【図６】遮音壁を備えた壁パネル施工例である（（ａ）は正面図であり、（ｂ）は（ａ）のＡ−Ａ断面図である）。
【図７】従来の壁パネルの斜視図である。
【図８】従来の壁パネルを壁パネル先行で二重床に立設した施工例である（（ａ）は正面図であり、（ｂ）は（ａ）のＡ−Ａ断面図である）。
【符号の説明】
【００４２】
１  パネル枠体
１ａ  縦枠材
１ｂ  横枠材
１ｃ  天井スラブ取付け固定部
２  面材
３  帯板
４  遮音壁
【図１】
2008050929.tif 000003
【図３】
2008050929.tif 000004
【図４】
2008050929.tif 000005
【図５】
2008050929.tif 000006
【図６】
2008050929.tif 000007
【図７】
2008050929.tif 000008
【図８】
2008050929.tif 000009
【図２】
2008050929.tif 000010